(57)【要約】【課題】従来よりも製造コストの低減を図りつつ取付作業の容易化を図る。【解決手段】センサ装置は、筐体(ベース板11)の下面に台座15を介して固定される取付具14により、パーティション(間仕切り)の端部などに取り付けられる。取付具14は、弾性(ばね性)を有する帯板状の金属板が曲げ加工されてなり、台座15に固定される固定部140と、固定部140の両端縁より同じ向きに曲げ起こされて互いに対向する一対の挟持部141とを有する。一対の挟持部141の間にパーティションの端部を差し込めば、挟持部141の弾性力でパーティションを挟持し、センサ装置をパーティションに容易に取り付けることができる。また固定部140と一対の挟持部141が弾性を有する材料で一体に形成された取付具14を用いて被取付部材に筐体が取り付けられるので、従来よりも製造コストの低減を図りつつ取付作業の容易化を図ることができる。【選択図】        図１
2013057594.tif 000002
【特許請求の範囲】
【請求項１】
それぞれが異なる物理量を計測する複数のセンサ部と、複数の前記センサ部の計測結果を外部に出力する出力部と、複数の前記センサ部及び前記出力部が収納される筐体と、前記筐体を被取付部材に取り付けるための取付具とを備え、前記取付具は、前記筐体に固定される固定部と、前記固定部の両側から突出して互いに対向する一対の挟持部とがばね性を有する材料で一体に形成されてなることを特徴とするセンサ装置。
【請求項２】
前記各挟持部は、先端部分が互いに離れる向きに湾曲していることを特徴とする請求項１記載のセンサ装置。
【請求項３】
前記各挟持部は、前記固定部から離れるに従って互いに近付くように傾斜しており、互いの距離が最も近くなる部分が平坦であることを特徴とする請求項１又は２記載のセンサ装置。
【請求項４】
前記筐体に着脱自在に取り付けられ且つ前記取付具の固定部が固定される台座を備え、前記筐体は、前記台座に当接する面に沿って突出する取付片を有し、前記取付片に貫通孔が設けられていることを特徴とする請求項１〜３の何れか１項に記載のセンサ装置。
【請求項５】
前記筐体は、前記被取付部材に当接する面に沿って突出する取付片を有し、前記取付片に貫通孔が設けられていることを特徴とする請求項１〜３の何れか１項に記載のセンサ装置。
【発明の詳細な説明】
【技術分野】
【０００１】
本発明は、センサ装置に関し、特に複数種類の物理量を計測するセンサ装置に関する。
【背景技術】
【０００２】
従来のセンサ装置として、放射温度を測定する放射温度センサ部と、温度及び湿度を測定する温湿度センサ部と、これら複数のセンサ部や無線通信部などを収納するケースとを備えた温湿度・放射温度測定装置が特許文献１に開示されている。
【０００３】
特許文献１記載の従来例は、直方体形状のケースの長手方向両端にそれぞれ一対の取付金具が設けられ、ケースに内蔵されている調整ねじを回すことで一対の取付金具の間隔が調整可能となっている。そして、これら一対の取付金具にパーティション(間仕切り)の端部を挟持させることにより、ケースをパーティションに取り付けることができる。
【先行技術文献】
【特許文献】
【０００４】
【特許文献１】特開２０１０−２３６８７９号公報(〔００４２〕〜〔００５０〕及び図３，図４参照)
【発明の概要】
【発明が解決しようとする課題】
【０００５】
ところで、特許文献１記載の従来例では、取付作業に手間がかかるという問題や、取付金具の間隔を調整ねじで調整可能とする構造に多くの部品が必要となって製造コストが上昇するという問題があった。
【０００６】
本発明は、上記課題に鑑みて為されたものであり、従来よりも製造コストの低減を図りつつ取付作業の容易化を図ることを目的とする。
【課題を解決するための手段】
【０００７】
本発明のセンサ装置は、それぞれが異なる物理量を計測する複数のセンサ部と、複数の前記センサ部の計測結果を外部に出力する出力部と、複数の前記センサ部及び前記出力部が収納される筐体と、前記筐体を被取付部材に取り付けるための取付具とを備え、前記取付具は、前記筐体に固定される固定部と、前記固定部の両側から突出して互いに対向する一対の挟持部とがばね性を有する材料で一体に形成されてなることを特徴とする。
【０００８】
このセンサ装置において、前記各挟持部は、先端部分が互いに離れる向きに湾曲していることが好ましい。
【０００９】
このセンサ装置において、前記各挟持部は、前記固定部から離れるに従って互いに近付くように傾斜しており、互いの距離が最も近くなる部分が平坦であることが好ましい。
【００１０】
このセンサ装置において、前記筐体に着脱自在に取り付けられ且つ前記取付具の固定部が固定される台座を備え、前記筐体は、前記台座に当接する面に沿って突出する取付片を有し、前記取付片に貫通孔が設けられていることが好ましい。
【００１１】
このセンサ装置において、前記筐体は、前記被取付部材に当接する面に沿って突出する取付片を有し、前記取付片に貫通孔が設けられていることが好ましい。
【発明の効果】
【００１２】
本発明のセンサ装置は、従来よりも製造コストの低減を図りつつ取付作業の容易化を図ることができるという効果がある。
【図面の簡単な説明】
【００１３】
【図１】本発明に係るセンサ装置の実施形態を示す斜視図である。
【図２】同上の分解斜視図である
【図３】(ａ)は同上の回路ブロック図、(ｂ)は同上を用いる空調照明制御システムのシステム構成図である。
【図４】同上の他の構成を示す分解斜視図である。
【発明を実施するための形態】
【００１４】
本実施形態のセンサ装置のブロック図を図３(ａ)に示す。このセンサ装置は、制御部１、照度センサ部２、温湿度センサ部３、放射温度センサ部４、アンテナ５、無線通信部６、電源部７、報知部８などを備える。
【００１５】
照度センサ部２は、光電変換素子と、光電変換素子の出力電流(光電流)の大きさに応じた電圧信号(照度信号)を所定の時間間隔(照度計測周期)で制御部１に出力する出力回路とを有する。温湿度センサ部３は、サーミスタなどの温度検出素子を用いて雰囲気温度を計測する温度センサと、検出素子の電気抵抗又は静電容量の変化を利用して湿度を計測する湿度センサとを有するハイブリッド型のセンサICからなる。そして、温湿度センサ部３は、温度センサで計測される雰囲気温度(気温)の計測出力(温度計測信号)と、湿度センサで計測される湿度の計測出力(湿度計測信号)を所定の時間間隔(温湿度計測周期)で制御部１に出力する。
【００１６】
放射温度センサ部４は、サーモパイル素子や、サーモパイル素子から出力される電気信号を信号処理して非接触で対象物の温度(放射温度)を求める信号処理回路(図示せず)などを具備する。サーモパイル素子は、対象物である熱源(例えば、人体)から放射される赤外線量を計測する。信号処理回路は、各サーモパイル素子で計測される赤外線量を温度値に変換し、その温度値に対応した電気信号(放射温度計測信号)を所定の時間間隔(放射温度計測周期)で制御部１に出力する。
【００１７】
制御部１はマイクロコントローラからなり、各センサ部２〜４から出力される照度信号、温度計測信号、湿度計測信号、放射温度計測信号に基づき、照度、温度(気温)、湿度、放射温度(対象物の表面温度)の各計測結果を無線通信部６に出力する。
【００１８】
無線通信部６は、制御部１から入力される各計測結果を無線通信媒体(例えば、電波)を利用し、アンテナ５を介して外部に出力(送信)する。すなわち、本実施形態では制御部１とアンテナ５と無線通信部６が出力部に相当する。ただし、無線通信媒体は電波に限定されず、例えば、赤外線などの光を無線通信媒体に利用することも可能である。
【００１９】
電源部７は、乾電池や乾電池型の２次電池からなる電池70と、電池70の出力電圧を安定化させる定電源回路部71とを有し、定電源回路部71から制御部１及び各センサ部２〜４、無線通信部６、報知部８に動作電源(例えば、電源電圧３ボルトの直流電源)が供給される。ただし、定電源回路部71を省略して電池70の出力電圧を制御部１及び各センサ部２〜４、無線通信部６、報知部８に直接供給しても構わない。
【００２０】
報知部８は発光ダイオードなどの表示素子を有している。制御部１は、例えば、電池70の電圧(電池電圧)から電池70の残容量を計測しており、残容量が所定のしきい値以下になると報知部８を制御して表示素子を周期的に点滅させる。つまり、表示素子が点滅することで電池70の残容量が残り少ないことを報知部８で報知することができる。なお、本実施形態では、電池70の残容量がしきい値を超えている間は報知部８の表示素子を消灯しているので、報知部８の電力消費がない分だけ電池70の長寿命化が図れる。また、残容量がしきい値以下となったことを報知する際、１周期当たりの表示素子の点灯時間を１周期当たりの消灯時間よりも短くすれば、報知部８の電力消費を可能な限り減らして電池70の使用時間を延ばすことができる。
【００２１】
本実施形態のセンサ装置は、下面が開口した矩形箱状の合成樹脂成形体からなるケース10と、矩形平板状の合成樹脂成形体からなり、ケース10下面の開口を閉塞するベース板11とで構成される筐体内に前記各部１〜８が収納されている。筐体を構成するベース板11の左端部には、下面に沿って外向き(図１における上向き)に突出する略半円盤状の取付片113がベース板11と一体に形成されている。すなわち、取付片113に設けられている貫通孔114に挿通される取付ねじを用いて、センサ装置の筐体を壁板や柱などの造営材(被取付部材)にねじ止めして取り付けることができる。
【００２２】
また、本実施形態のセンサ装置は、図１及び図２に示すように筐体(ベース板11)の下面に台座15を介して固定される取付具14により、オフィスなどで使用されるパーティション(間仕切り)の端部などに容易に取り付けられる。
【００２３】
取付具14は、弾性(ばね性)を有する帯板状の金属板が曲げ加工されてなり、台座15に固定される固定部140と、固定部140の両端縁より同じ向きに曲げ起こされて互いに対向する一対の挟持部141とを有する。また、挟持部141の先端部分が互いに外向き(他の挟持部141から離れる向き)に湾曲するように曲げ加工されているので、挟持部141の先端に手や指が触れ難くなり、その結果、挟持部141の先端(エッジ)で怪我をする可能性が低くなる。
【００２４】
台座15は、上下方向の厚み寸法がベース板11よりも大きい矩形板状の合成樹脂成形体からなり、台座15の上面に突設されている係合爪(図示せず)が取付ベース15の下面に設けられている取付溝150に係脱自在に係合して筐体(ベース板11)に取り付けられる。また、台座15の長手方向両端部には、取付具14の固定部140が嵌め込まれる凹所151がそれぞれ形成されている。そして、固定部140に設けられた取付孔140Aに挿通されたねじが、凹所151の底面に設けられているねじ孔に螺合されることで取付具14が台座15に固定され、台座15を介して筐体(ベース板11)の下面に取付具14が取り付けられる。
【００２５】
而して、一対の挟持部141の間にパーティションの端部を差し込めば、挟持部141の弾性力でパーティションを挟持し、センサ装置をパーティションに容易に取り付けることができる。また、センサ装置をパーティションから離れる向きに移動させれば、一対の挟持部141の間からパーティションが離れるので、容易に取り外すことができる。しかも、本実施形態では、固定部140と一対の挟持部141が弾性を有する材料で一体に形成された取付具14を用いて被取付部材(例えば、パーティション)に筐体が取り付けられるので、従来よりも製造コストの低減を図りつつ取付作業の容易化を図ることができる。
【００２６】
ここで、各挟持部141は、固定部140から離れるに従って互いに近付くように傾斜しており、互いの距離が最も近くなる部分141Aが平坦になっている(図１参照)。そのため、この部分141Aが湾曲している場合に比べて、より幅の広いパーティションにも容易に取り付けることができる。
【００２７】
ところで、本実施形態では台座15を介して取付金具14が筐体(ベース板11)に取り付けられる構造としているが、図４に示すように台座15を介さずに取付具14が筐体(ベース板11)の下面に直接取り付けられても構わない。
【００２８】
図３(ｂ)は本実施形態のセンサ装置を用いて空調機器や照明装置(照明器具)を制御する制御システムのシステム構成図を示している。この制御システムは、空調機器21を制御して運転・停止の切換や風量の調節などを行う空調制御装置20、照明器具23を制御して点灯・消灯及び調光する照明制御装置22、センサ装置から無線信号で送信される計測結果を受信する無線通信装置24を有する。無線通信装置24は、信号線25を介して空調制御装置20並びに照明制御装置22と接続されており、センサ装置から受け取った計測結果を信号線25を介した通信によって空調制御装置20並びに照明制御装置22に伝送する。空調制御装置20は、温度及び湿度の計測結果が目標温度及び目標湿度に一致するように、あるいは放射温度の計測結果が目標範囲内に収まるように空調機器21を制御する。また、照明制御装置22は、照度の計測結果が目標とする照度範囲内に収まるように照明器具23を点滅制御及び調光制御する。
【符号の説明】
【００２９】
１  制御部(出力部)
２  照度センサ部(センサ部)
３  温湿度センサ部(センサ部)
４  放射温度センサ部(センサ部)
５  アンテナ(出力部)
６  無線通信部(出力部)
10  ケース(筐体)
11  ベース板(筐体)
14  取付具
140  固定部
141  挟持部
【図１】
2013057594.tif 000003
【図２】
2013057594.tif 000004
【図３】
2013057594.tif 000005
【図４】
2013057594.tif 000006